(57)【要約】【課題】ユーザの好みに合ったコーディネートを自動的に行ってユーザに提案することができるコーディネート提案装置及び方法を提供する。【解決手段】コーディネート用ＤＢ４４には、予めコーディネートされた第１の商品及び第２の商品の画像を解析して得られた第２の色情報と、第２の色情報に対応する感性語とが関連付けて登録されている。コーディネートを希望する第１の商品（トップス）を受け付けると、第１の商品の画像の第１の色情報（黒）と第１の色情報に対応する感性語（カジュアル）とを取得する。取得した第１の商品の感性語（カジュアル）と同じ感性語を有し、かつ第１の色情報（黒）を含む第２の色情報（黒と赤）をコーディネート用ＤＢ４４から取得する。そして、第１の色情報と第２の色情報との差分の色情報（赤）を有する第２の商品（ボトムス）を、商品ＤＢ４６から検索し、検索した第２の商品を提示する。【選択図】  図９
2016071609.tif 000002
【特許請求の範囲】
【請求項１】
電子商取引される商品群に関する商品情報が登録された商品データベースであって、登録された商品毎に商品と当該商品の画像を解析して得られる第１のデザイン特徴量を含む商品情報とが関連付けられて登録された商品データベースと、
ユーザ端末からコーディネートを希望する第１の商品を受け付ける商品受付部と、
前記商品受付部により受け付けた前記第１の商品に基づいて該第１の商品の画像を解析して得られる第１のデザイン特徴量を取得する第１のデザイン特徴量取得部と、
前記商品受付部により受け付けた前記第１の商品の画像の特徴を表す感性語を取得する感性語取得部と、
予めコーディネートされた第１の商品及び第２の商品のそれぞれの画像を解析して得られた第２のデザイン特徴量と、前記コーディネートされた前記第１の商品及び前記第２の商品の全体の画像の特徴を表す感性語とが関連付けられて登録されたコーディネート用データベースと、
前記感性語取得部により取得された前記感性語に基づいて前記コーディネート用データベースから前記感性語に関連付けられて登録された第２のデザイン特徴量であって、前記第１のデザイン特徴量取得部により取得した前記第１のデザイン特徴量を含み、かつ前記第１のデザイン特徴量よりも多くのデザイン特徴量を有する第２のデザイン特徴量を、前記コーディネート用データベースから取得する第２のデザイン特徴量取得部と、
前記第１のデザイン特徴量取得部により取得した前記第１のデザイン特徴量と前記第２のデザイン特徴量取得部により取得した前記第２のデザイン特徴量との差分を示す第３のデザイン特徴量を求め、前記求めた第３のデザイン特徴量に基づいて前記商品データベースから前記第３のデザイン特徴量と同じデザイン特徴量である前記第１のデザイン特徴量を有する第２の商品を検索する商品検索部と、
前記商品検索部により検索した前記第２の商品を、前記ユーザ端末により受け付けた第１の商品に対してコーディネートされた第２の商品として前記ユーザ端末に提示する商品提示部と、
を備えたコーディネート提案装置。
【請求項２】
前記商品データベースに登録される前記商品情報は、前記登録された商品の画像の特徴を表す感性語を含み、
前記感性語取得部は、前記商品受付部により受け付けた前記第１の商品に基づいて前記商品データベースから前記第１の商品に対応する感性語を取得する請求項１に記載のコーディネート提案装置。
【請求項３】
前記第１のデザイン特徴量と前記感性語とを関連付けて記憶する感性語変換テーブルを備え、
前記感性語取得部は、前記商品受付部により受け付けた前記第１の商品の画像を解析して得られる第１のデザイン特徴量に基づいて前記感性語変換テーブルから前記第１のデザイン特徴量に対応する感性語を取得する請求項１に記載のコーディネート提案装置。
【請求項４】
前記第１のデザイン特徴量は、前記第１の商品の画像の第１の色特徴量であり、前記第２のデザイン特徴量は、前記第１の商品及び前記第２の商品のそれぞれの画像の第２の色特徴量である請求項１から３のいずれか１項に記載のコーディネート提案装置。
【請求項５】
前記第１の色特徴量は、前記第１の商品の画像の色を代表する単色又は複数色に対応する第１の色情報であって、予め設定された色数を有する基本カラーパレットから選択された単色又は複数色の各色を示す第１の色情報であり、
前記第２の色特徴量は、前記第１の商品及び前記第２の商品のそれぞれの画像の色を代表する複数色に対応する第２の色情報であって、前記基本カラーパレットから選択された複数色の各色を示す第２の色情報である請求項４に記載のコーディネート提案装置。
【請求項６】
前記コーディネート用データベースには、前記複数色の色数毎に、前記感性語と前記第２の色情報とが関連付けて登録され、
前記第２のデザイン特徴量取得部は、前記第１のデザイン特徴量取得部により取得した前記第１の色情報を含み、かつ前記第１の色情報よりも色数が大きい前記第２の色情報を前記コーディネート用データベースから取得する請求項５に記載のコーディネート提案装置。
【請求項７】
前記商品検索部は、前記第１のデザイン特徴量取得部により取得した前記第１の色情報と前記第２のデザイン特徴量取得部により取得した第２の色情報との差分を示す第３の色情報を求め、前記求めた第３の色情報に基づいて前記商品データベースから前記第３の色情報と同じ色情報を有する第２の商品を検索する請求項６に記載のコーディネート提案装置。
【請求項８】
前記商品提示部は、前記商品受付部が受け付けた前記第１の商品の画像と、前記商品検索部が検索した前記第２の商品の画像とを同時に観察可能なコーディネート画像を生成するコーディネート画像生成部を含み、前記コーディネート画像生成部により生成した前記コーディネート画像を前記ユーザ端末に提示する請求項１から７のいずれか１項に記載のコーディネート提案装置。
【請求項９】
前記商品データベースに登録される前記第１のデザイン特徴量は、前記第１の商品の画像の第１の色特徴量、第１の柄特徴量、第１の形特徴量、及び第１の質感特徴量のうちの少なくとも第１の色特徴量を含む２以上の特徴量である請求項１から８のいずれか１項に記載のコーディネート提案装置。
【請求項１０】
前記検索された第２の商品が複数存在する場合、検索された複数の第２の商品の画像を明度又は彩度に応じて整列させる画像整列部を有し、
前記商品提示部は、前記画像整列部により整列された複数の第２の商品の画像を順次又は２以上同時に提示する請求項１から９のいずれか１項に記載のコーディネート提案装置。
【請求項１１】
前記検索された第２の商品が複数存在する場合、検索された複数の第２の商品の画像を、前記第２の商品のサイズと値段とを座標軸とする空間上に整列させる画像整列部を有し、
前記商品提示部は、前記画像整列部により整列された複数の第２の商品の画像を提示する請求項１から９のいずれか１項に記載のコーディネート提案装置。
【請求項１２】
電子商取引される商品群に関する商品情報が登録された商品データベースであって、登録された商品毎に商品と当該商品の画像を解析して得られる第１のデザイン特徴量を含む商品情報とが関連付けられて登録された商品データベースと、予めコーディネートされた第１の商品及び第２の商品のそれぞれの画像を解析して得られた第２のデザイン特徴量と、前記コーディネートされた前記第１の商品及び前記第２の商品の全体の画像の特徴を表す感性語とが関連付けられて登録されたコーディネート用データベースとを使用して、コーディネートされた商品を提案するコーディネート提案方法であって、
ユーザ端末からコーディネートを希望する第１の商品を受け付けるステップと、
前記受け付けた前記第１の商品に基づいて該第１の商品の画像を解析して得られる第１のデザイン特徴量を取得するステップと、
前記受け付けた前記第１の商品の画像の特徴を表す感性語を取得するステップと、
前記取得した前記感性語に基づいて前記コーディネート用データベースから前記感性語に関連付けられて登録された第２のデザイン特徴量であって、前記取得した前記第１のデザイン特徴量を含み、かつ前記第１のデザイン特徴量よりも多くのデザイン特徴量を有する第２のデザイン特徴量を、前記コーディネート用データベースから取得するステップと、
前記取得した前記第１のデザイン特徴量と前記取得した第２のデザイン特徴量との差分を示す第３のデザイン特徴量を求め、前記求めた第３のデザイン特徴量に基づいて前記商品データベースから前記第３のデザイン特徴量と同じデザイン特徴量である前記第１のデザイン特徴量を有する第２の商品を検索するステップと、
前記検索した前記第２の商品を、前記ユーザ端末により受け付けた第１の商品に対してコーディネートされた第２の商品として前記ユーザ端末に提示するステップと、
を含むコーディネート提案方法。
【請求項１３】
前記第１のデザイン特徴量は、前記第１の商品の画像の第１の色特徴量であり、前記第２のデザイン特徴量は、前記第１の商品及び前記第２の商品のそれぞれの画像の第２の色特徴量である請求項１２に記載のコーディネート提案方法。
【請求項１４】
前記第１の色特徴量は、前記第１の商品の画像の色を代表する単色又は複数色に対応する第１の色情報であって、予め設定された色数を有する基本カラーパレットから選択された単色又は複数色の各色を示す第１の色情報であり、
前記第２の色特徴量は、前記第１の商品及び前記第２の商品のそれぞれの画像の色を代表する複数色に対応する第２の色情報であって、前記基本カラーパレットから選択された複数色の各色を示す第２の色情報である請求項１３に記載のコーディネート提案方法。
【請求項１５】
前記コーディネート用データベースには、前記複数色の色数毎に、前記感性語と前記第２の色情報とが関連付けて登録され、
前記第２のデザイン特徴量を取得するステップは、前記取得した前記第１の色情報を含み、かつ前記第１の色情報よりも色数が大きい前記第２の色情報を前記コーディネート用データベースから取得する請求項１４に記載のコーディネート提案方法。
【請求項１６】
前記商品を検索するステップは、前記取得した前記第１の色情報と前記取得した第２の色情報との差分を示す第３の色情報を求め、前記求めた第３の色情報に基づいて前記商品データベースから前記第３の色情報と同じ色情報を有する第２の商品を検索する請求項１５に記載のコーディネート提案方法。
【発明の詳細な説明】
【技術分野】
【０００１】
本発明はコーディネート提案装置及び方法に係り、特に電子商取引（ＥＣ：Electronic Commerce)される商品群に含まれる２以上の商品を適宜組み合わせた（コーディネートした）商品であるコーディネート商品をユーザに提案するコーディネート提案装置及び方法に関する。
【背景技術】
【０００２】
インターネット上における電子商取引サイト（ＥＣサイト)で服飾品等の商品を購入する場合、２種類以上の商品が調和するように組み合わせ（コーディネートし）、コーディネートした商品（以下、「コーディネート商品」という）を構成する複数の商品、又は複数の商品のうちの１つの商品（自分が持っていない商品）を選択して商品を購入する場合がある。
【０００３】
しかしながら、ユーザが自分に合ったコーディネート商品をＥＣサイトで探すのは煩雑であるという問題がある。
【０００４】
従来、上記問題を解決するために、適切なコーディネートを推薦するコーディネート推薦装置が提案されている（特許文献１）。
【０００５】
特許文献１に記載のコーディネート推薦装置は、画像集合である雑誌写真集合から複数種別のアイテムの組み合わせからなる全身写真を抽出し、各全身写真について各種別のアイテムの領域を特定し、領域毎に特徴量を抽出し、雑誌全身写真特徴集合として記憶する雑誌全身写真特徴抽出部と、画像集合である所有写真集合中から全身写真を抽出し、各全身写真について各種別のアイテムの領域を特定し、領域毎に特徴量を抽出すると共に、所有写真集合中の１種のアイテムからなる画像についても特徴量を抽出し、抽出した特徴量を所有写真特徴集合として記憶する所有写真特徴抽出部と、雑誌全身写真特徴集合と所有写真特徴集合とを用いて、各アイテムの領域間の関連性を学習し、入力されたアイテムとの組み合わせに適した別の種別のアイテムを提示する推薦部とを備える。
【０００６】
具体的には、コーディネート推薦装置は、所有写真集合中の１種のアイテム（例えば、上衣）と類似した雑誌写真（コーディネートの参考となる写真）を雑誌写真集合から抽出し、その抽出写真の下衣と類似したユーザの所有している服を提示する。
【０００７】
上衣と類似した雑誌写真の抽出とは、上衣の特徴量（色、テクスチャ、形状など）と同じ特徴量をもった上衣を含む雑誌写真を雑誌写真集合から抽出することをいう。
【先行技術文献】
【特許文献】
【０００８】
【特許文献１】特開２０１２−１４５４４号公報
【発明の概要】
【発明が解決しようとする課題】
【０００９】
特許文献１に記載のコーディネート推薦装置は、模範となるコーディネートの参考となる参考用写真集合（雑誌写真集合）から、所有写真集合中の１種のアイテム（例えば、上衣）と類似した雑誌写真を、上衣の特徴量に基づいて抽出し、その抽出写真の別の種類のアイテム（例えば、下衣）と類似したアイテムを推薦用写真集合から検索し、推薦するアイテムとしてユーザに提示している。
【００１０】
したがって、所有写真集合中の１種のアイテムとコーディネートされる別の種類のアイテム（検索されるアイテム）は、参考用写真集合におけるコーディネートに依存し、必ずしもユーザの好みに合ったアイテムが推薦されるとは限らない。例えば、カジュアルな上衣に対し、カジュアルな下衣に限らず、エレガントな下衣、ナチュラルな下衣、クラシックな下衣等が推薦される可能性がある。これは、コーディネートの参考となる参考用写真集合を使用するためである。また、カジュアルな上衣とカジュアルな下衣とをコーディネートしたものは、必ずしも全体の印象がカジュアルであるとは限らない。
【００１１】
本発明はこのような事情に鑑みてなされたもので、ユーザの好みに合ったコーディネートを自動的に行ってユーザに提案することができるコーディネート提案装置及び方法を提供することを目的とする。
【課題を解決するための手段】
【００１２】
上記目的を達成するために本発明の一の態様に係るコーディネート提案装置は、電子商取引される商品群に関する商品情報が登録された商品データベースであって、登録された商品毎に商品と商品の画像を解析して得られる第１のデザイン特徴量を含む商品情報とが関連付けられて登録された商品データベースと、ユーザ端末からコーディネートを希望する第１の商品を受け付ける商品受付部と、商品受付部により受け付けた第１の商品に基づいて第１の商品の画像を解析して得られる第１のデザイン特徴量を取得する第１のデザイン特徴量取得部と、商品受付部により受け付けた第１の商品の画像の特徴を表す感性語を取得する感性語取得部と、予めコーディネートされた第１の商品及び第２の商品のそれぞれの画像を解析して得られた第２のデザイン特徴量と、コーディネートされた第１の商品及び第２の商品の全体の画像の特徴を表す感性語とが関連付けられて登録されたコーディネート用データベースと、感性語取得部により取得された感性語に基づいてコーディネート用データベースから感性語に関連付けられて登録された第２のデザイン特徴量であって、第１のデザイン特徴量取得部により取得した第１のデザイン特徴量を含み、かつ第１のデザイン特徴量よりも多くのデザイン特徴量を有する第２のデザイン特徴量を、コーディネート用データベースから取得する第２のデザイン特徴量取得部と、第１のデザイン特徴量取得部により取得した第１のデザイン特徴量と第２のデザイン特徴量取得部により取得した第２のデザイン特徴量との差分を示す第３のデザイン特徴量を求め、求めた第３のデザイン特徴量に基づいて商品データベースから第３のデザイン特徴量と同じデザイン特徴量である第１のデザイン特徴量を有する第２の商品を検索する商品検索部と、商品検索部により検索した第２の商品を、ユーザ端末により受け付けた第１の商品に対してコーディネートされた第２の商品としてユーザ端末に提示する商品提示部と、を備える。
【００１３】
本発明の一の態様によれば、ユーザ端末からコーディネートを希望する第１の商品を受け付けると、第１の商品の画像を解析して得られる第１のデザイン特徴量と、第１の商品の画像の特徴を表す感性語とを取得する。取得した第１のデザイン特徴量と感性語とに基づいて、コーディネート用データベースから、第１の商品と同じ感性語をもち、かつ第１のデザイン特徴量を含み、かつ第１のデザイン特徴量よりも多くのデザイン特徴量を有する第２のデザイン特徴量を取得する。そして、第１のデザイン特徴量と第２のデザイン特徴量との差分を示す第３のデザイン特徴量に基づいて商品データベースから第３のデザイン特徴量と同じデザイン特徴量を有する第２の商品を検索し、検索した第２の商品をユーザ端末に提示する。第１の商品とコーディネート提案された第２の商品との商品全体の画像の特徴を表す感性語は、第１の商品単独の画像の特徴を表す感性語と同じ感性語を表し、コーディネートを希望する第１の商品から受ける印象と同様な印象のコーディネート商品の提案を行うことができる。
【００１４】
本発明の他の態様に係るコーディネート提案装置において、商品データベースに登録される商品情報は、登録された商品の画像の特徴を表す感性語を含み、感性語取得部は、商品受付部により受け付けた第１の商品に基づいて商品データベースから第１の商品に対応する感性語を取得することができる。
【００１５】
本発明の更に他の態様に係るコーディネート提案装置において、第１のデザイン特徴量と感性語とを関連付けて記憶する感性語変換テーブルを備え、感性語取得部は、商品受付部により受け付けた第１の商品の画像を解析して得られる第１のデザイン特徴量に基づいて感性語変換テーブルから第１のデザイン特徴量に対応する感性語を取得することができる。
【００１６】
本発明の更に他の態様に係るコーディネート提案装置において、第１のデザイン特徴量は、第１の商品の画像の第１の色特徴量であり、第２のデザイン特徴量は、第１の商品及び第２の商品のそれぞれの画像の第２の色特徴量であることが好ましい。色特徴量としては、例えば、商品の画像中の代表色の、ＨＳＶ色空間における３属性（Ｈ（色相）・Ｓ（彩度）・Ｖ（明度））、国際電気標準会議(IEC)が定めたＲＧＢ表色系におけるＲＧＢ値、国際照明委員会(CIE)で採択されたCIE XYZ表色系の三刺激値（X,Y,Z）などが考えられる。
【００１７】
本発明の更に他の態様に係るコーディネート提案装置において、第１の色特徴量は、第１の商品の画像の色を代表する単色又は複数色に対応する第１の色情報であって、予め設定された色数を有する基本カラーパレットから選択された単色又は複数色の各色を示す第１の色情報であり、第２の色特徴量は、第１の商品及び第２の商品のそれぞれの画像の色を代表する複数色に対応する第２の色情報であって、基本カラーパレットから選択された複数色の各色を示す第２の色情報であることが好ましい。
【００１８】
本来、一の商品の色自体は単色であっても、画像を解析して得られる色特徴量（物理計測値）は、多色として認識され得るが、商品の画像の色を代表する色にすることで、商品の本来の色数と合わせることができ、また、代表色に対応する色情報を、基本カラーパレットから選択することで適切に減色することができ、近似した色の重複を排除することができる。
【００１９】
本発明の更に他の態様に係るコーディネート提案装置において、コーディネート用データベースには、複数色の色数毎に、感性語と第２の色情報とが関連付けて登録され、第２のデザイン特徴量取得部は、第１のデザイン特徴量取得部により取得した第１の色情報を含み、かつ第１の色情報よりも色数が大きい第２の色情報をコーディネート用データベースから取得する。即ち、コーディネート用データベースは、２色配色、３色配色等の色数毎に、感性語と第２の色情報とが関連付けて登録されており、第１のデザイン特徴量取得部により取得した第１の色情報の色数が単色の場合には、単色よりも色数が大きい２色配色、３色配色等の配色から第２の色情報を取得し、第１の色情報の色数が２色配色の場合には、２色よりも色数が大きい３色配色等の配色から第２の色情報を取得する。
【００２０】
本発明の更に他の態様に係るコーディネート提案装置において、商品検索部は、第１のデザイン特徴量取得部により取得した第１の色情報と第２のデザイン特徴量取得部により取得した第２の色情報との差分を示す第３の色情報を求め、求めた第３の色情報に基づいて商品データベースから第３の色情報と同じ色情報を有する第２の商品を検索することが好ましい。
【００２１】
例えば、第１の色情報が単色であり、第２の色情報が３色配色の場合、第１の色情報と第２の色情報との差分を示す第３の色情報は、２色配色になる。そして、この２色配色の色情報を有する第２の商品を検索する。
【００２２】
本発明の更に他の態様に係るコーディネート提案装置において、商品提示部は、商品受付部が受け付けた第１の商品の画像と、商品検索部が検索した第２の商品の画像とを同時に観察可能なコーディネート画像を生成するコーディネート画像生成部を含み、コーディネート画像生成部により生成したコーディネート画像をユーザ端末に提示することが好ましい。
【００２３】
本発明の更に他の態様に係るコーディネート提案装置において、商品データベースに登録される第１のデザイン特徴量は、第１の商品の画像の第１の色特徴量、第１の柄特徴量、第１の形特徴量、及び第１の質感特徴量のうちの少なくとも第１の色特徴量を含む２以上の特徴量であることが好ましい。第１の色特徴量以外の特徴量も使用することにより、第２の商品が多数存在する場合に、第２の商品の絞り込みを適切に行うことが可能になる。
【００２４】
本発明の更に他の態様に係るコーディネート提案装置において、検索された第２の商品が複数存在する場合、検索された複数の第２の商品の画像を明度又は彩度に応じて整列させる画像整列部を有し、商品提示部は、画像整列部により整列された複数の第２の商品の画像を順次又は２以上同時に提示することが好ましい。検索された第２の商品が複数存在する場合、第２の商品の画像を明度に応じて整列させ、又は第２の商品の画像の彩度に応じて整列させ、整列された複数の第２の商品の画像を順次又は２以上同時に提示することで、ユーザにとって第２の商品の選択が容易になる。
【００２５】
本発明の更に他の態様に係るコーディネート提案装置において、検索された第２の商品が複数存在する場合、検索された複数の第２の商品の画像を、第２の商品のサイズと値段とを座標軸とする空間上に整列させる画像整列部を有し、商品提示部は、画像整列部により整列された複数の第２の商品の画像を提示することが好ましい。これにより、整列された第２の商品の画像の中からサイズと値段により所望の第２の商品を探すことができる。
【００２６】
更に他の態様に係る発明は、電子商取引される商品群に関する商品情報が登録された商品データベースであって、登録された商品毎に商品と商品の画像を解析して得られる第１のデザイン特徴量を含む商品情報とが関連付けられて登録された商品データベースと、予めコーディネートされた第１の商品及び第２の商品のそれぞれの画像を解析して得られた第２のデザイン特徴量と、コーディネートされた第１の商品及び第２の商品の全体の画像の特徴を表す感性語とが関連付けられて登録されたコーディネート用データベースとを使用して、コーディネートされた商品を提案するコーディネート提案方法であって、ユーザ端末からコーディネートを希望する第１の商品を受け付けるステップと、受け付けた第１の商品に基づいて第１の商品の画像を解析して得られる第１のデザイン特徴量を取得するステップと、受け付けた第１の商品の画像の特徴を表す感性語を取得するステップと、取得した感性語に基づいてコーディネート用データベースから感性語に関連付けられて登録された第２のデザイン特徴量であって、取得した第１のデザイン特徴量を含み、かつ第１のデザイン特徴量よりも多くのデザイン特徴量を有する第２のデザイン特徴量を、コーディネート用データベースから取得するステップと、取得した第１のデザイン特徴量と取得した第２のデザイン特徴量との差分を示す第３のデザイン特徴量を求め、求めた第３のデザイン特徴量に基づいて商品データベースから第３のデザイン特徴量と同じデザイン特徴量である第１のデザイン特徴量を有する第２の商品を検索するステップと、検索した第２の商品を、ユーザ端末により受け付けた第１の商品に対してコーディネートされた第２の商品としてユーザ端末に提示するステップと、を含む。
【００２７】
本発明の更に他の態様に係るコーディネート提案方法において、第１のデザイン特徴量は、第１の商品の画像の第１の色特徴量であり、第２のデザイン特徴量は、第１の商品及び第２の商品のそれぞれの画像の第２の色特徴量であることが好ましい。
【００２８】
本発明の更に他の態様に係るコーディネート提案方法において、第１の色特徴量は、第１の商品の画像の色を代表する単色又は複数色に対応する第１の色情報であって、予め設定された色数を有する基本カラーパレットから選択された単色又は複数色の各色を示す第１の色情報であり、第２の色特徴量は、第１の商品及び第２の商品のそれぞれの画像の色を代表する複数色に対応する第２の色情報であって、基本カラーパレットから選択された複数色の各色を示す第２の色情報であることが好ましい。
【００２９】
本発明の更に他の態様に係るコーディネート提案方法において、コーディネート用データベースには、複数色の色数毎に、感性語と第２の色情報とが関連付けて登録され、第２のデザイン特徴量を取得するステップは、取得した第１の色情報を含み、かつ第１の色情報よりも色数が大きい第２の色情報をコーディネート用データベースから取得する。
【００３０】
本発明の更に他の態様に係るコーディネート提案方法において、商品を検索するステップは、取得した第１の色情報と取得した第２の色情報との差分を示す第３の色情報を求め、求めた第３の色情報に基づいて商品データベースから第３の色情報と同じ色情報を有する第２の商品を検索することが好ましい。
【発明の効果】
【００３１】
本発明によれば、コーディネートを希望する第１の商品と、コーディネートされた第１の商品及び第２の商品とを、デザイン特徴量及び感性語を媒介して第１の商品に基づいて第１の商品に対してコーディネートされた第２の商品を検索し、ユーザに提示するようにしたため、第１の商品の画像の特徴を表す感性語と、コーディネートされた第１の商品及び第２の商品の全体の画像の特徴を表す感性語とを一致させることができ、ユーザの好みに合った適切なコーディネートをユーザに提案することができる。
【図面の簡単な説明】
【００３２】
【図１】本発明に係るコーディネート提案装置を含むクライアント・サーバシステムの概念図である。
【図２】ユーザ端末の機能構成例を示すブロック図である。
【図３】ユーザ端末の表示部に表示されるユーザ識別データの入力画面の一例を示す図である。
【図４】複数の感性語（検索ワードの候補）が表示されるユーザ端末の表示部の一例を示す図である。
【図５】本発明に係るコーディネート用配色データベースを作成する手順を示す図である。
【図６】感性空間に配置される感性語を示す言語イメージスケールを示す図である。
【図７】感性空間に配置される単色（１３０色）の単色イメージスケールを示す図である。
【図８】感性空間に配置される３色配色のイメージスケールを示す図である。
【図９】本発明の概要を説明するために用いた図である。
【図１０】コーディネート提案装置の実施形態の機能構成例を示すブロック図である。
【図１１】商品データベースの構造例を示す図である。
【図１２】商品検索部が取得した商品の画像データの表示態様例を示す図である。
【図１３】商品の画像を解析して色特徴量としての単色又は複数色の各色を示す色情報を取得する画像解析部を説明するために用いた図である。
【図１４】画像解析部の処理内容の一例を示すフローチャートである。
【図１５】コーディネート用データベースの構造例を示す図である。
【図１６】本発明に係るコーディネート提案方法の実施形態を示すフローチャートである。
【図１７】ユーザ端末の表示部に表示される第１の商品の画像を表示する画面とコーディネート画像とを表示する画面とを示す図である。
【発明を実施するための形態】
【００３３】
以下、添付図面に従って本発明に係るコーディネート提案装置及び方法の実施の形態について説明する。以下の実施形態では「服飾品、特に衣服」をコーディネートの対象の商品とする例について説明するが、これに限定されず、他の任意の商品をコーディネートする場合にも本発明を応用することが可能である。
【００３４】
図１は、本発明に係るコーディネート提案装置を含むクライアント・サーバシステム１の概念図である。本実施形態に係るクライアント・サーバシステム１は、コーディネート提案装置１０と、複数の一般消費者（ユーザ）のユーザ端末１１と、複数の電子商取引サイト（ＥＣサイト）EC0〜ECｎとがインターネット等のネットワーク１２を介して接続されて構成される。
【００３５】
コーディネート提案装置１０は、クライアント・サーバシステム１におけるサーバに相当し、ユーザ端末１１及びＥＣサイトEC0〜ECｎは、クライアント・サーバシステム１におけるクライアントに相当する。コーディネート提案装置１０は、２以上の商品を適宜組み合わせた（コーディネートした）商品であるコーディネート商品をユーザに提案したり、ＥＣサイトEC0〜ECｎが取り扱っている商品をユーザに紹介するサービスを行い、ＥＣサイトEC0〜ECｎの事業者からサービスに対する報酬を受け取るアフィリエイトサイトとして機能する。
【００３６】
ユーザ端末１１は、ユーザが服飾品等の商品（コーディネート商品を含む）を検索する際に操作する端末であり、例えばスマートフォン、タブレットデバイス等のポータブル端末やパソコンなどの形態をとりうる。
【００３７】
ＥＣサイトEC0〜ECｎは、商品に関する情報（例えば、商品画像、ブランド、在庫、価格、サイズ、お勧め商品、及び購買情報等）をコーディネート提案装置１０に提供したり、ユーザ端末１１からコーディネート提案装置１０を経由してアクセスしたユーザに対して、又はコーディネート提案装置１０を経由せずにアクセスしたユーザに対して、ＥＣサイトが取り扱っている商品に関する情報を提供する機能を備える。
【００３８】
このクライアント・サーバシステム１において、まずユーザ端末１１の機能構成について説明する。
【００３９】
図２は、ユーザ端末１１の機能構成例を示すブロック図である。
【００４０】
本例のユーザ端末１１は、主として入力部２０、通信部２３（送信部２１及び受信部２２）、表示制御部２５、表示部２７及びシステムコントローラ２８から構成されている。
【００４１】
入力部２０は、ユーザ識別情報（ユーザＩＤ）、パスワード、検索ワード等のデータ類、表示部２７に表示されるアイコン等の選択、表示部２７の画面の操作（タップ、スワイプ、ピンチ又はストレッチ等）を入力するためにユーザによって直接的に操作される操作部と、操作部を介して入力されたユーザＩＤ、パスワード、検索ワード等のデータ類を特定する情報特定部とを含む。
【００４２】
ユーザＩＤ及びパスワードは、ユーザ端末１１を操作するユーザを特定するためのデータであり、以下、ユーザＩＤ及びパスワードのいずれか一方又は両者の組み合わせを「ユーザ識別データ」とも呼ぶ。「検索ワード」は、ユーザが希望する商品の特徴を表す用語であり、商品のカテゴリ、デザイン特徴量又は感性語を用いることができる。
【００４３】
商品のカテゴリは、商品（服飾品）の範疇を示すもので、トップス、ボトムス、パンツ、ブラウス、スカート、Ｔシャツ、ワンピース等である。商品のデザイン特徴量は、色特徴量、柄特徴量、形特徴量、及び質感特徴量のうちの少なくとも色特徴量を含む。感性語は、感覚的な用語であり、検索ワードとしての感性語は、ユーザが検索商品に期待する印象を表す。尚、デザイン特徴量及び感性語の詳細については後述する。
【００４４】
ユーザ端末１１がスマートフォン等のポータブル端末の場合、ユーザ端末１１に設けられたボタン類やタッチパネルを操作部として利用することが可能であり、情報特定部は、この操作部によって選択された商品のカテゴリやデザイン特徴量を特定する。ユーザは、操作部を介して任意の手法でデータ類を入力可能であり、データ類を直接的に入力してもよいし、表示部２７に表示される複数の候補の中から１以上の所望のデータ類を選択することで入力してもよい。
【００４５】
図３は、ユーザ端末１１の表示部２７に表示されるユーザ識別データの入力画面の一例を示す。本例では、表示部２７に設けられたタッチパネルをユーザ操作部（入力部２０）とするポータブル端末をユーザ端末１１とする。
【００４６】
ユーザは、適正なユーザであることを認証するため、ユーザ毎に設定されるユーザＩＤ及びパスワードをユーザ端末１１に入力する。図３に示す例では、表示部２７にユーザＩＤデータ入力欄２７ａ、パスワード入力欄２７ｂ及びソフトウエアキーボード２７ｃが表示される。ユーザＩＤデータ入力欄２７ａは、ユーザがユーザＩＤを入力する欄であり、パスワード入力欄２７ｂは、ユーザがパスワードを入力する欄である。ユーザはソフトウエアキーボード２７ｃを使って、割り当てられているユーザＩＤをユーザＩＤデータ入力欄２７ａに入力し、パスワードをパスワード入力欄２７ｂに入力する。
【００４７】
ソフトウエアキーボード２７ｃは、表示部２７に表示される任意の文字パレット及びタッチパネル（表示部２７）によって構成され、タッチパネルのうち表示部２７に表示された各文字パレットに対応する箇所をユーザがタッチすることで、タッチ位置に対応する文字等がユーザＩＤデータ入力欄２７ａ又はパスワード入力欄２７ｂに入力される。ソフトウエアキーボード２７ｃを使って表示部２７に表示される文字パレットは特に限定されず、ひらがな、アルファベット、数字、記号等の入力用文字だけではなく、スペースキー、エンターキー、デリートキー、表示切り換えキー等のファンクションキーもソフトウエアキーボード２７ｃとして表示部２７に表示可能である。
【００４８】
例えば、ユーザＩＤデータ入力欄２７ａに対応する位置のタッチパネル（表示部２７）がユーザによってタッチされることでユーザ端末１１はユーザＩＤ入力モードに移行し、ユーザはソフトウエアキーボード２７ｃを使ってユーザＩＤをユーザＩＤデータ入力欄２７ａに入力することができる。同様に、例えばパスワード入力欄２７ｂに対応する位置のタッチパネルがユーザによってタッチされることでユーザ端末１１はパスワード入力モードに移行し、ユーザはソフトウエアキーボード２７ｃを使ってパスワードをパスワード入力欄２７ｂに入力することができる。ユーザ識別データ及びパスワードが入力された状態でソフトウエアキーボード２７ｃのエンターキーに対応する位置をユーザがタッチすることで認証処理が行われ、認証の結果、ユーザ識別データ及びパスワードが適正な場合には表示部２７の表示は検索処理画面に移行する。
【００４９】
図４は、複数の感性語（検索ワードの候補）が表示されるユーザ端末１１の表示部２７の一例を示す。
【００５０】
本例の入力部２０（タッチパネル）は、ユーザからの指示を受け付けて、その指示に応じて表示部２７に表示される複数の感性語のうちの少なくとも一つを特定する感性語選択部として機能し、特定された感性語を示す感性語データを、入力部２０を介して入力された感性語データとして特定する。より具体的には、検索ワードの候補となる複数の感性語が表示部２７（タッチパネル）に表示され、表示部２７に表示された複数の感性語のうちのいずれかに対応する箇所をユーザがタッチすることで、タッチ位置に対応する感性語が検索ワードとして入力される。
【００５１】
表示部２７における複数の感性語の表示態様は特に限定されず、複数の感性語が表示部２７において、所定のルールに従って整然と並べられて表示されてもよいし、ランダムに表示されてもよい。また、表示部２７における複数の感性語の表示を所謂「タグクラウド」表示としてもよく、表示部２７における感性語の表示サイズを相互に異ならせてもよい。図４の例では「プリティ」という感性語が一番大きく表示され、その次に「カジュアル」及び「ゴージャス」という感性語が大きく表示され、その次に「シック」、「ナチュラル」及び「エレガント」という感性語が大きく表示され、「フォーマル」という感性語が一番小さく表示されている。
【００５２】
また、表示部２７に表示される複数の感性語は、予め定められていてもよいし、検索処理毎に変えられてもよい。また、表示部２７に表示される複数の感性語データは、ユーザ端末１１内に予め記憶されていてもよいし、コーディネート提案装置１０からユーザ端末１１（表示制御部２５（図２参照））に送られてきてもよい。この場合、表示制御部２５は、検索処理毎にコーディネート提案装置１０から通信部２３（受信部２２）を介して送られてくる感性語データに基づいて、タグクラウド状に検索ワードの候補（複数の感性語）を表示部２７に表示させてもよい。また、コーディネート提案装置１０からユーザ端末１１に送られてくる複数の感性語データは特に限定されず、例えばコーディネート提案装置１０における検索処理で検索ワードとして指定された頻度や、ユーザの属性等に応じて変えられてもよい。
【００５３】
送信部２１（図２参照）は、入力部２０を介してユーザにより特定されたユーザ識別データ、感性語データ（検索ワード）等のデータ類を、ネットワーク１２（図１参照）を介してコーディネート提案装置１０に送信する。また、受信部２２は、ネットワーク１２を介してコーディネート提案装置１０から送信される後述の「検索結果の商品群を示す画像データ、コーディネートされた複数の商品の画像（コーディネート画像）」、「表示情報データ」等のデータ類を受信する。これらの送信部２１及び受信部２２によって通信部２３が構成されており、送信部２１及び受信部２２は同一の機器類によって構成されてもよい。
【００５４】
表示制御部２５は、表示部２７を制御して表示部２７の表示全般をコントロールし、例えば表示部２７におけるユーザ識別データの指定モードの画面表示（図３参照）及び感性語データ（検索ワード）の指定モードの画面表示（図４参照）を切り換える。また、表示制御部２５は、受信部２２が受信した商品の画像データを、受信部２２が受信した表示情報データに応じて表示部２７に表示させる。
【００５５】
システムコントローラ２８（図２参照）は、通信部２３（送信部２１及び受信部２２）、入力部２０及び表示制御部２５を制御して上述の処理或いは他の処理を各部に実行させ、また、ユーザ端末１１の図示しない各部も制御する。例えば、ユーザ認証処理（図３参照）では、システムコントローラ２８が入力部２０及び通信部２３を制御し、ユーザにより入力部２０を介して入力されたユーザ識別データを送信部２１及びネットワーク１２を介してコーディネート提案装置１０に送信する。また、システムコントローラ２８が入力部２０、受信部２２及び表示制御部２５を制御し、コーディネート提案装置１０から送信されるユーザ認証の結果、検索ワードの候補（複数の感性語データ）（図４参照）、検索結果データＤ５、表示情報データＤ６等を受信し、表示部２７におけるユーザ認証の適否の表示、検索ワードのタグクラウド表示（図４参照）、検索された商品画像６６の表示（図１２参照）等が行われる。
【００５６】
このようにユーザは、上述の構成を有するユーザ端末１１を操作して商品検索を行う場合、ユーザ識別データＤ１（ユーザＩＤ及びパスワード）、及びデザイン特徴量（感性語を含む）等の検索データＤ２を、入力部２０（タッチパネル）を使って入力する。入力部２０を介してユーザにより入力されて特定されるユーザ識別データＤ１及び検索データＤ２は、入力部２０から送信部２１に送信され、送信部２１によりネットワーク１２を介してコーディネート提案装置１０に送信される。
【００５７】
また、ユーザ端末１１の入力部２０は、図１２に示す商品画像６６として表示された商品群の中からいずれかの商品に対する購入等のアクションを示すアクション情報（操作履歴情報）を入力し、又は図１７（ｂ）に示すコーディネート画像として表示されたコーディネート商品に対するアクション情報を入力し、入力したアクション情報を送信部２１を介してコーディネート提案装置１０に送信（出力）する操作部として機能する。
【００５８】
ここで、商品に対するアクション情報（操作履歴情報）としては、例えば、商品の購入操作、仮想の試着室に商品を持ち込む操作、試着リストに商品を登録する操作、仮想のマイクローゼットに商品を登録（保持）する操作、商品をお気に入りに登録する操作、商品を推薦する操作、商品の詳細情報の閲覧要求操作、納期指示要求、納期確認要求、スモール（Ｓ）、ミディアム（Ｍ）、ラージ（Ｌ）、フリー等のサイズ選択要求、「いいね！」などの高評価を示す評価、及びメール転送のうちの少なくとも１つを含む。尚、仮想のマイクローゼットとは、コーディネート提案装置１０側に準備されているユーザ毎に割り当てられている記憶領域であり、ユーザが過去に購入した商品やユーザが関心を示した商品等の情報が登録されている記憶領域をいう。また、仮想の試着室とは、商品を仮想的に試着するための画面（試着画面）をいい、商品が試着室に持ち込まれると、例えば試着室内の特定の領域に商品の画像を表示し、又は試着室内のマネキン画像上に商品の画像を重ねて表示する。
【００５９】
［本発明の概要］
次に、図５から図９を参照しながら本発明の概要を説明する。
【００６０】
図５は、本発明に係るコーディネート用データベースを作成する手順を示す図である。
【００６１】
図５に示すように、予め服飾のコーディネータがコーディネートしたコーディネート商品の画像を解析し、デザイン特徴量（第２のデザイン特徴量）を取得する。即ち、コーディネート商品の画像から、コーディネート商品の画像を代表する色を含む領域を切り出し、各領域の画像を平滑化フィルタにより平滑化処理し、平滑化した各領域の画像の代表色を示す色特徴量を取得する。
【００６２】
本例では、色特徴量として、ＨＳＶ色空間における３属性（Ｈ（色相）・Ｓ（彩度）・Ｖ（明度））の各値（以下、「ＨＳＶ値」という）を取得する。また、コーディネート商品は、複数のカテゴリの商品（図５に示す例では、トップスとボトムス）であるため、２色以上の色特徴量（ＨＳＶ値）を取得する。
【００６３】
続いて、取得した色特徴量（ＨＳＶ値）毎に、１３０色の色数を有する基本カラーパレット６０から該当する色情報を選択する。ここで、１３０色は、１２０色の有彩色と１０色の無彩色とを有し、１２０色の有彩色は、１０種類の色相と１２種類のトーンとの組み合わせからなり、１０色の無彩色は、白から黒までの１０種類のトーンからなる。尚、基本カラーパレットの色数及び分類方法は、この実施形態に限定されない。
【００６４】
１つの色特徴量（ＨＳＶ値）が測定されると、測定した色特徴量に対応する基本カラーパレット６０における１３０色のうちの１つの色（色情報）を決定することができる。
【００６５】
いま、コーディネート商品の画像の代表色が２色の場合、基本カラーパレット上の２つの色（２色配色）を特定することができる。同様に、コーディネート商品の画像の代表色が３色の場合には、基本カラーパレット上の３つの色（３色配色）を特定することができ、コーディネート商品の画像の代表色がＮ色（Ｎ：４以上の整数）の場合には、基本カラーパレット上のＮ個の色（Ｎ色配色）を特定することができる。
【００６６】
また、上記のようにしてコーディネート商品の配色が特定されると、特定された配色に対応する感性語を特定することができる。
【００６７】
図６は感性空間に配置される感性語を示す言語イメージスケールであり、図７は感性空間に配置される単色（基本カラーパレットの１３０色）の単色イメージスケールである。また、図８は感性空間に配置される３色配色のイメージスケールである。尚、図６、図７及び図８に示すイメージスケールは、株式会社日本カラーデザイン研究所から開示されたイメージスケールを示す（小林重順著「カラーシステム」（講談社）、及びhttp://www.ncd-ri.co.jp/about/image_system.htmlを参照）。
【００６８】
図６から図８に示す感性空間は、ＷＡＲＭ（暖かい）／ＣＯＯＬ（冷たい）の程度を示す横軸、及びＨＡＲＤ（かたい）／ＳＯＦＴ（やわらかい）の程度を示す縦軸により規定された空間である。
【００６９】
図６に示す言語イメージスケールは、上記感性空間内に６４個の感性語が配置されている。また、図７に示す単色イメージスケールは、上記感性空間内に１３０色の単色が配置されている。図７に示した各記号は、Ｖ（ビビット）、Ｓ（ストロング）、Ｂ（ブライト）、Ｐ（ペール）、Ｖｐ（ベリー・ペール）、Ｌｇｒ（ライト・グレイッシュ）、Ｌ（ライト）、Ｇｒ（グレイッシュ）、Ｄｌ（ダル）、Ｄｐ（ディープ）、Ｄｋ（ダーク）、Ｄｇｒ（ダーク・グレイッシュ）の１２種類のトーンの位置を示している。また、数字で示した１３０色のうちの代表的なものとして、１〜１０は、それぞれ代表的な色相の位置を示し、１は赤、２は橙、３は黄、４は黄緑、５は緑、６は青緑、７は青、８は青紫、９は紫、１０は赤紫である。また、１２１は白、１３０は黒である。
【００７０】
また、図８に示す３色配色のイメージスケールは、６４個の感性語にそれぞれ対応する１つの３色配色を示しているが、１つの感性語に対応する３色配色は、複数存在する。
【００７１】
図６から図８に示すように、感性語と色特徴量（単色、３色配色）との間には相関があることが分かる。尚、図８に示した３色配色に限らず、２色配色、Ｎ色配色の場合も感性語との間には相関がある。
【００７２】
従って、色特徴量（単色、配色（２色、３色、Ｎ色））と感性語との関係を示す変換テーブル又は変換式を予め準備し、単色、配色の色情報を取得すれば、色情報を変換テーブル等を使用することにより感性語に変換することができる。
【００７３】
図５に示す例では、２つの２色配色について、それぞれ「カジュアル」、「エレガント」の感性語が関連付けられ、１つの３色配色について、「プリティ」の感性語が関連付けられている。
【００７４】
上記のように予め服飾のコーディネータがコーディネートしたコーディネート商品の画像を解析し、各コーディネート商品の配色を特定し、コーディネート用データベース（コーディネート用ＤＢ）４４には、特定した配色と感性語とが関連付けて登録される。
【００７５】
いま、図９に示すように黒（第１の色情報）のトップス（第１の商品）に対してコーディネートされるボトムス（第１の商品とはカテゴリが異なる第２の商品）を検索する場合、トップスの感性語（本例では、カジュアル）と同じ感性語が関連付けられた２色配色であって、黒を有する配色（第２の色情報）を、コーディネート用ＤＢ４４から抽出する。
【００７６】
ここで、トップスの感性語（カジュアル）と同じ感性語が関連付けられた２色配色であって、黒を有する配色として、黒と赤の配色が抽出されたとすると、トップスの黒（第１の色情報）と、抽出された黒と赤の配色（第２の色情報）との差分を示す赤（第３の色情報）を求め、この赤（第３の色情報）を有するボトムスを、商品データベース（商品ＤＢ）４６から検索する。尚、商品ＤＢ４６の構成の詳細については後述する。
【００７７】
上記のようにして検索した赤のボトムス（第２の商品）は、本例のトップス（第１の商品）にマッチする商品としてユーザ端末１１を介してユーザに提示（提案）される。
【００７８】
即ち、黒のトップスは、「カジュアル」の感性語を持つが、黒のトップスと赤のボトムスとが組み合わされたコーディネート商品も「カジュアル」の感性語を持ち、更にコーディネート用ＤＢ４４は、服飾のコーディネータがコーディネートしたコーディネート商品に基づいて作成されているため、黒のトップスと赤のボトムスとが組み合わされたコーディネート商品は、適切にコーディネートされたものと言える。
【００７９】
尚、上記の例では、説明の便宜上、黒の単色、及び黒と赤の２色配色の感性語を、ともに「カジュアル」としたが、これらの単色及び２色配色の感性語が、実際に「カジュアル」が当てはまるとは限らない。例えば、図６及び図７に示したイメージスケールによれば、黒の単色は、「フォーマル」の感性語が当てはまる。
【００８０】
［コーディネート提案装置の実施形態］
次に、コーディネート提案装置１０の機能構成について説明する。
【００８１】
図１０は、コーディネート提案装置１０の実施形態の機能構成例を示すブロック図である。
【００８２】
本例のコーディネート提案装置１０は、ユーザにコーディネート商品を提案するコーディネート提案装置として機能する部分と、ユーザ端末１１での操作に基づいて商品を検索する商品検索装置として機能する部分とを備えている。また、コーディネート提案装置１０は、クライアント・サーバシステム１の中ではＥＣサイトEC0〜ECｎ（図１）が取り扱っている商品を、ユーザに紹介するサービスを行うアフィリエイトサイトとして機能したり、ＥＣサイトEC0〜ECｎに代行してユーザ端末１１との間で電子商取引する機能を有する。
【００８３】
図１０に示すようにコーディネート提案装置１０は、主として通信部３３（送信部３１及び受信部３２）、商品受付部３４、コーディネート画像提示部３６、感性語取得部３８、第１のデザイン特徴量取得部４０、第２のデザイン特徴量取得部４２、コーディネート用ＤＢ４４、商品ＤＢ４６、商品検索部４８、５０、及び画像整列部５２から構成されている。
【００８４】
受信部３２は、ネットワーク１２を介してユーザ端末１１から送信されるユーザ識別データＤ１、検索データＤ２等のデータ類、及びユーザからの購入等のアクション情報を受信し、検索データＤ２を商品検索部４８に送信し、ユーザ識別データＤ１をユーザＩＤ取得部５４に送信する。
【００８５】
商品検索部４８は、ユーザがコーディネートを希望する第１の商品を検索するもので、商品ＤＢ４６にアクセスして、ユーザ端末１１からネットワーク１２を介して受信部３２が受信した検索データＤ２に基づいて、商品ＤＢ４６に格納されている商品群から商品を絞り込み、１又は複数の商品を検索する。
【００８６】
ここで、図１１を参照しながら商品ＤＢ４６について説明する。
【００８７】
商品ＤＢ４６は、図１１に示すように商品毎に商品情報を登録、管理するものであり、商品を一意に特定する商品ＩＤをキーとして、商品のカテゴリ情報、商品の画像データ、商品の画像を解析して得たデザイン特徴量（色特徴量、柄特徴量、形特徴量、及び質感特徴量等の物理計測値）、感性語、ＥＣサイト（店舗）を示すサイト情報、ブランド情報、在庫情報、サイズ（ＳＭＬ、フリー）情報、及び価格情報を関連付けて記憶する記憶部として機能する。ここで、商品ＩＤは、商品毎、ＥＣサイト毎及びサイズ毎に商品を一意に特定するユニークな識別情報であり、同じ商品でも取り扱っているＥＣサイトやサイズが異なれば、異なるＩＤが付されているものとする。カテゴリ情報とは、商品（服飾品）の範疇を示すもので、トップス、ボトムス、パンツ、ブラウス、スカート、Ｔシャツ、ワンピース等の情報であり、ユーザ端末１１により検索する商品のカテゴリを絞り込むときに使用される。
【００８８】
尚、商品ＤＢ４６に登録される商品情報は、デザイン特徴量及び感性語を除いてＥＣサイトから収集できるようになっており、デザイン特徴量は、コーディネート提案装置１０側の画像解析部６２（図１３）が商品の画像データを解析して取得し、商品の情報の一部として付与される。
【００８９】
また、図１１に示す例では、色特徴量としてＨＳＶ値と、ＨＳＶ値に対応する基本カラーパレットから選択したＨＳＶ値に対応する色情報（第１の色情報）とが記録されている。尚、第１の色情報は、１３０色の基本カラーパレットの色の番号（＃１〜＃１３０）を示す情報である。また、商品の画像が単色の場合には、１組のＨＳＶ値と色情報とが記録され、複数の色を有する場合には、複数組のＨＳＶ値と色情報とが記録される。
【００９０】
柄特徴量は、例えば、柄密度及び柄サイズにより規定される特徴量が考えられる。形特徴量は、例えば、全体の幅（細い−太い）、袖の大きさ（短い−長い）、丈の大きさ（短い−長い）、ネックライン（襟ぐり）の幅及び高さ、ネックラインによって規定されユーザの頭部を通過させるための空間の断面積（小さい−大きい）、Ｖネックの角度（小さい−大きい）、Ｕネックの曲率（小さい−大きい）等によって規定される特徴量が考えられる。質感特徴量は、例えば、光沢度及び透け度によって規定される特徴量が考えられる。
【００９１】
感性語は、前述したように商品の画像データを解析して得たデザイン特徴量（本例では、単色又は配色）と、単色、配色のイメージスケール（図７、図８参照）とに基づいて求めることができる。
【００９２】
商品検索部４８は、感性語及びデザイン特徴量を示す検索データＤ２に基づいて、商品ＤＢ４６に格納されている商品群から商品を絞り込むことにより１又は複数の商品を検索し、検索した商品の情報（画像データ等）を画像整列部５２に出力する。尚、商品のカテゴリ、ＥＣサイト、ブランド、サイズ、及び価格等も検索データＤ２として使用することできることは言うまでもない。
【００９３】
画像整列部５２は、商品検索部４８が検索によって取得した商品の画像データの表示態様を決定し、決定した表示態様を示す表示情報データを生成する。即ち、画像整列部５２は、商品検索部４８が検索した商品の画像データの表示態様を、商品の特性データに応じて商品の画像データが表示されるものとして決定し、決定した表示態様を示す表示情報データを生成する。
【００９４】
画像整列部５２が生成する表示情報データは、商品検索部４８が検索した商品の画像データの少なくとも一部が、商品の特性データを表す座標系上に表示される表示態様を示す。ここでいう「商品の特性データ」は、商品の特性のうち、ユーザがユーザ端末１１を介して特定した検索データＤ２とは異なる特性に基づいている。例えば、商品の価格及び商品のサイズのうち少なくともいずれか一方のデータに基づいて「商品の特性データ」が定められてもよい。
【００９５】
図１２は、商品検索部４８が検索した商品の画像データの表示態様例を示す。図１２（ａ）は横軸が商品の「サイズ（大・小）」を示し、縦軸が商品の「値段（価格）」を示す。図１２（ｂ）は横軸が商品の「形（太い・細い）」を示し、縦軸が商品の「値段」を示す。図１２（ｃ）は横軸が商品の画像の「トーン（濃・淡）」を示し、縦軸が商品の「値段」を示す。図１２（ｄ）は横軸が商品の画像の「柄密度（密・疎）」を示し、縦軸が商品の「トーン（濃・淡）」を示す。図１２（ａ）〜（ｄ）の各々に示される座標系６４には複数（図９では横方向に３枚及び縦方向に３枚の計９枚）の商品画像６６（商品群）が示されている。
【００９６】
このように画像整列部５２（図１０参照）は、商品検索部４８が検索によって取得した商品の画像データ（商品画像６６）から、座標系６４上に表示する表示態様（図１２（ａ）〜（ｄ）参照）を示す表示情報データを生成する。
【００９７】
送信部３１は、商品検索部４８によって取得された検索結果（商品の画像データを含む）と画像整列部５２によって生成された表示情報データとを、ネットワーク１２を介してユーザ端末１１に送信する。送信部３１によって送信された検索結果及び表示情報データは、ユーザ端末１１の受信部２２（図２参照）によって受信される。そして表示制御部２５は、受信した表示情報データに基づいて商品検索部４８が検索によって取得した商品の画像データ（商品画像６６）の表示態様を決定して、決定した表示態様に従って表示部２７に商品の画像データ（商品画像６６）を表示させる（図１２（ａ）〜（ｄ）参照）。
【００９８】
ユーザ端末１１の入力部２０は、商品画像６６として表示された商品群の中からいずれかの商品に対する購入等のアクション情報を入力し、入力したアクション情報を送信部２１を介してコーディネート提案装置１０に送信（出力）する。これにより、ユーザ端末１１及びコーディネート提案装置１０からなるクライアント・サーバシステム１による商品の検索、及び検索した商品に対する購買等のアクションを伴った電子商取引が行われる。
【００９９】
ユーザＩＤ取得部５４は、ネットワーク１２及び受信部３２を介してユーザ端末１１から送信されるユーザ識別データＤ１を取得し、取得したユーザ識別データＤ１をユーザＤＢ５６に登録したり、ユーザ識別データＤ１により特定されたユーザのユーザＩＤをユーザＤＢ５６から取得する。また、ユーザＩＤと関連付けて過去にそのユーザが購入した商品、閲覧した商品等の情報がユーザＤＢ５６等に登録されている場合には、取得したユーザＩＤに基づいてユーザＩＤに関連付けて登録された商品を読み出し、読み出した商品を画像整列部５２に送出するようにしてもよい。これによれば、ユーザが購入した商品、閲覧した商品等を、ユーザがコーディネートを希望する商品（第１の商品）とすることができる。
【０１００】
商品受付部３４は、ユーザ端末１１の操作に基づいてユーザがコーディネートを希望する商品（第１の商品）を取得する部分である。第１の商品は、商品ＤＢ４６に登録されている商品群のうちの一の商品であり、検索データＤ２に基づいて商品検索部４８により検索された一の商品、又は検索された複数の商品からユーザが選択した一の商品である。また、第１の商品は、ユーザ端末１１での商品への関心を示す現在又は過去の操作履歴情報から特定される商品とすることができる。例えば、ユーザがユーザ端末１１を使用して所望の商品を検索し、検索した商品を、後述する仮想の試着室に持ち込む操作が行われた場合には、仮想の試着室に持ち込まれた商品を第１の商品とすることができる。また、ユーザが、コーディネート提案装置１０又はＥＣサイトEC0〜ECｎで過去に商品を購入した場合、その購入した商品を第１の商品とすることができる。更に、ユーザ端末１１の表示部２７に特定のＥＣサイトが取り扱っている、ＥＣサイトお勧めの商品の画像が表示されている場合、特定のＥＣサイトが推薦する商品を第１の商品としてもよい。また、商品受付部３４は、ユーザ端末１１により本サイト（コーディネート提案装置１０）にログインしたとき、ログインしたユーザ端末１１から取得したユーザＩＤを有するユーザの過去の操作履歴情報から特定される商品を自動的に第１の商品とすることができる。
【０１０１】
商品受付部３４が取得した第１の商品を示す情報は、それぞれコーディネート画像提示部３６、感性語取得部３８、及び第１のデザイン特徴量取得部４０に出力される。
【０１０２】
感性語取得部３８は、第１の商品を示す情報を入力すると、その第１の商品の画像の特徴を表す感性語を、商品ＤＢ４６から取得する。即ち、商品ＤＢ４６には、商品ＩＤ（第１の商品を示す情報）に関連付けて第１の商品の画像の特徴を表す感性語が登録されており（図１１参照）、感性語取得部３８は、入力した第１の商品を示す情報に基づいて商品ＤＢ４６から対応する感性語を取得する。
【０１０３】
また、デザイン特徴量（第１のデザイン特徴量）と感性語とを関連付けて記憶する感性語変換テーブル（例えば、図７、図８等に示したイメージスケール）を設けておき、感性語取得部３８は、商品受付部３４により受け付けた第１の商品の画像を解析して得られる第１のデザイン特徴量（例えば、単色又は配色を示す色情報）に基づいて感性語変換テーブルから第１のデザイン特徴量に対応する感性語を取得するようにしてもよい。
【０１０４】
第１のデザイン特徴量取得部４０は、第１の商品を示す情報を入力すると、その第１の商品の画像を解析して得られるデザイン特徴量（第１のデザイン特徴量）を、商品ＤＢ４６から取得する。即ち、商品ＤＢ４６には、商品ＩＤ（第１の商品を示す情報）に関連付けて第１の商品の画像を予め解析して得たデザイン特徴量が登録されており（図１１参照）、第１のデザイン特徴量取得部４０は、入力した第１の商品を示す情報に基づいて商品ＤＢ４６から対応するデザイン特徴量（第１のデザイン特徴量）を取得する。
【０１０５】
また、第１のデザイン特徴量取得部４０は、図１３に示す画像解析部６２を備え、商品（第１の商品）の画像を解析して第１のデザイン特徴量を取得してもよい。尚、本例では、第１のデザイン特徴量取得部４０は、第１の商品の画像の色特徴量（第１の色特徴量）であって、基本カラーパレット６０上の単色又は複数色に対応する色情報（第１の色情報）を取得する。
【０１０６】
次に、図１３及び図１４を使用して、商品の画像から第１のデザイン特徴量（特に色特徴量及び色情報）を取得する方法について説明する。
【０１０７】
図１４は、図１３に示した画像解析部６２の処理内容の一例を示すフローチャートである。
【０１０８】
図１４において、まず、商品の画像を入力する（ステップＳ１０）。この場合、商品の全体画像を入力してもよいし、商品の全体画像から適当な領域（複数の色を有する場合には、色別の領域）を切り取って入力するようにしてもよい。
【０１０９】
次に、商品の画像の色数を示すパラメータｉを０に設定し（ｉ＝０）（ステップＳ１２）、その後、入力した画像を解析する（ステップＳ１４）。本例では、入力した画像を解析し、ＨＳＶ色空間におけるＨ（色相）、Ｓ（彩度）及びＶ（明度）を示す値（ＨＳＶ値）を、画像の色特徴量として取得する。
【０１１０】
取得した画像の色特徴量を示すＨＳＶ値から商品の画像の代表色の色数ｎを決定する（ステップＳ１６）。ここで、代表色は、離れた位置からも十分に視認できる一定の面積以上を有する色をいい、例えば、大きな面積の「ベースカラー」、次に大きな面積を占める「アソートカラー」に限らず、小面積の「アクセントカラー」も代表色としてもよい。
【０１１１】
続いて、ステップＳ１６で決定した代表色のうちの一の代表色のＨＳＶ値を取得する（ステップＳ１８）。
【０１１２】
次に、取得したＨＳＶ値を、基本カラーパレット６０の情報を用いて基本カラーパレット６０の１３０色のうちのいずれかの色を示す色情報に変換する（ステップＳ２０）。これにより、全ての色を表すＨＳＶ値は、１３０色のうちのいずれかの色に変換され、減色される。
【０１１３】
次に、色数を示すパラメータｉを１だけインクリメントし（ステップＳ２２）、パラメータｉが色数ｎと一致（ｉ＝ｎ）したか否かを判別する（ステップＳ２４）。パラメータｉが色数ｎと一致しない場合（「No」の場合）には、ステップＳ１８に遷移し、別の一の代表色についてステップＳ１８からステップＳ２４の処理を繰り返す。
【０１１４】
一方、パラメータｉが色数ｎと一致した場合（「Yes」の場合）には、ステップＳ２０で変換した色情報を、入力した画像の色情報として出力する（ステップＳ２６）。
【０１１５】
即ち、図１３に示すように画像解析部６２は、商品の画像を入力すると、上記のようにして画像を解析し、基本カラーパレット６０の情報を用いて単色又は複数色の各色を示す色情報を出力する。
【０１１６】
図１０に戻って、感性語取得部３８により取得された第１の商品の画像の感性語と、第１のデザイン特徴量取得部４０により取得された第１のデザイン特徴量とは、それぞれ第２のデザイン特徴量取得部４２に加えられ、第２のデザイン特徴量取得部４２は、入力する感性語及び第１のデザイン特徴量に基づいてコーディネート用ＤＢ４４から、第１の商品及び第２の商品のそれぞれの画像を解析して得られた第２のデザイン特徴量を取得する。
【０１１７】
ここで、コーディネート用ＤＢ４４の構成の一例を、図１５に示す。
【０１１８】
図１５に示すように、本例のコーディネート用ＤＢ４４は、第２のデザイン特徴量（色特徴量）である、色数の異なる複数の配色（２色配色、３色配色、４色配色、…）の配色毎（色数毎）に、感性語と配色の色情報とが関連付けられて登録されている。
【０１１９】
例えば、「カジュアル」の感性語が割り当てられた２色配色の色情報として、（＃７,＃１０)、（＃３２,＃６１)、…が登録されている。
【０１２０】
尚、図１５において、（＃＋数字）は、１３０色の基本カラーパレット６０の色の番号（＃１〜＃１３０）を示している。また、図１５には、「カジュアル」、「エレガント」等の感性語に対して、これらの感性語に対応する配色の色情報（基本カラーパレット６０の色の番号の組合せ）を記載したが、図１５に示した感性語と配色の色情報との関係は、説明の便宜上のものであり、コーディネートされる色の組合せ（配色）として適切であり、かつ実際の感性語を想起させる配色の色情報であるとは限らない。
【０１２１】
色数が１３０色の場合、２色配色の組合せは、８３８５（＝１３０Ｃ２）通り存在するが、適切にコーディネートされる色の組合せとしては、８３８５よりも少ない。８３８５通りの組合せの中には、服飾のコーディネータがコーディネートしない不適切な色の組合せが含まれるためである。
【０１２２】
服飾のコーディネータがコーディネートしたコーディネート商品（第１の商品と第２の商品）の２色配色の組合せは、感性語毎に分類され、感性語と関連付けてコーディネート用ＤＢ４４に登録される。
【０１２３】
同様に３色配色、４色配色、…の場合も感性語毎に分類され、感性語と関連付けてコーディネート用ＤＢ４４に登録される。
【０１２４】
したがって、「カジュアル」の感性語に関連付けて登録される色情報には、２色配色のもの、３色配色のもの、４色配色のもの、…が存在し、かつ色数が異なる配色毎に、多数の配色の組合せが登録される。
【０１２５】
図１０に戻って、第２のデザイン特徴量取得部４２は、入力した感性語及び第１のデザイン特徴量（基本カラーパレット６０上の単色又は複数色に対応する色情報（第１の色情報））に基づいて、入力した感性語と同じ感性語に関連付けて登録された第２のデザイン特徴量（配色を示す色情報（第２の色情報））であって、第１のデザイン特徴量（第１の色情報）を含み、かつ第１のデザイン特徴量よりも多くのデザイン特徴量を有する第２のデザイン特徴量（第２の色情報）を、コーディネート用ＤＢ４４から取得する。
【０１２６】
例えば、入力した感性語が「カジュアル」であり、入力した第１のデザイン特徴量（第１の色情報）が、単色「黒」を示す場合、第２のデザイン特徴量取得部４２は、「カジュアル」の感性語に関連付けて登録された２色配色、３色配色、４色配色、…のうち、「黒」を含む２色配色、３色配色、４色配色、…を示す色情報（第２の色情報）を取得する。
【０１２７】
また、入力した感性語が「カジュアル」であり、入力した第１のデザイン特徴量（第１の色情報）が、２色配色「黒と赤」を示す場合、第２のデザイン特徴量取得部４２は、「カジュアル」の感性語に関連付けて登録される３色配色、４色配色、…のうち、２色配色「黒と赤」を含む３色配色、４色配色、…を示す色情報（第２の色情報）を取得する。
【０１２８】
第１のデザイン特徴量取得部４０により取得された第１のデザイン特徴量、及び第２のデザイン特徴量取得部４２により取得された第２のデザイン特徴量は、それぞれ商品検索部５０に加えられ、商品検索部５０は、入力した第１のデザイン特徴量及び第２のデザイン特徴量に基づいて、商品ＤＢ４６から第１の商品に対してコーディネートされる第２の商品を検索する。
【０１２９】
即ち、商品検索部５０は、第１のデザイン特徴量取得部４０により取得した第１のデザイン特徴量と第２のデザイン特徴量取得部４２により取得した第２のデザイン特徴量との差分を示す第３のデザイン特徴量を求め、求めた第３のデザイン特徴量に基づいて商品ＤＢ４６から第３のデザイン特徴量と同じデザイン特徴量である第１のデザイン特徴量を有する第２の商品（第１の商品とカテゴリが異なる第１の商品と組み合わされる第２の商品）を検索する。
【０１３０】
具体的には、商品検索部５０は、第１のデザイン特徴量取得部４０により取得した第１の色特徴量である、単色又は複数色の各色を示す第１の色情報と、第２のデザイン特徴量取得部４２により取得した第２の色特徴量である、複数色の各色を示す第２の色情報（第２の色情報の色数＞第１の色情報の色数）との差分を示す第３の色情報を求め、求めた第３の色情報に基づいて商品ＤＢ４６から第３の色情報と同じ色情報を有する第２の商品を検索する。
【０１３１】
例えば、図９を用いて説明したように商品検索部５０には、第１の商品（トップス）の第１の色情報（黒）と、コーディネート用ＤＢ４４から取得した第２の色情報（黒と赤）とが入力される。尚、第１の色情報（黒）と第２の色情報（黒と赤）とは、感性語（カジュアル）が共通し、かつ第２の色情報（黒と赤）には、第１の色情報（黒）が含まれている。商品検索部５０は、第１の色情報（黒）と第２の色情報（黒と赤）との差分を示す第３の色情報（赤）を求め、第３の色情報（赤）を有する第２の商品（ボトムス）を検索する。
【０１３２】
商品検索部５０は、検索した第２の商品の情報（画像データ等）を、それぞれコーディネート画像提示部３６及び画像整列部５２に出力する。尚、商品検索部５０は、複数の第２の商品を検索した場合には、複数の商品の情報をそれぞれコーディネート画像提示部３６及び画像整列部５２に出力する。
【０１３３】
コーディネート画像提示部３６は、商品受付部３４により受け付けた第１の商品の情報と、商品検索部５０により検索された第２の商品の情報とに基づいて、第１の商品の画像と第２の商品の画像とを、ユーザ端末１１で同時に観察可能に出力する。このとき、コーディネート画像提示部３６は、例えば第１の商品がトップスであり、第２の商品がボトムスの場合、トップスの画像とボトムスの画像との画像サイズ、位置及び向き等を調整し、トップスの画像とボトムスの画像とが連続したコーディネート画像を生成するコーディネート画像生成部を含み、生成したコーディネート画像の画像データを出力してもよし、第１の商品の画像と第２の商品の画像とを、コーディネート商品を示す個別の画像として出力してもよい。
【０１３４】
商品検索部５０により複数の第２の商品が検索された場合には、コーディネート画像提示部３６は、複数のコーディネート画像を順次、又は２以上同時に出力する。
【０１３５】
また、画像整列部５２は、コーディネート画像提示部３６の代わりに、第２の商品の画像を提示する商品提示部としても機能しうる。即ち、画像整列部５２は、商品検索部５０により複数の第２の商品が検索された場合には、複数の第２の商品の画像を明度又は彩度に応じて整列させ、整列させた複数の第２の商品の画像を順次又は２以上同時に提示する。尚、第２の商品の画像の明度又は彩度は、商品ＤＢ４６に登録されている色特徴量（ＨＳＶ値）を使用することができる。
【０１３６】
また、画像整列部５２は、検索された複数の第２の商品の画像を、第２の商品のサイズと値段とを座標軸とする空間上に整列させ（図１２（ａ）参照）、整列させた複数の第２の商品の画像を提示することができる。尚、第２の商品のサイズと値段（価格）は、商品ＤＢ４６に登録されているサイズ、価格を使用することができる。
【０１３７】
更に、画像整列部５２は、検索された複数の第２の商品を、色数の異なる商品（単色、２色配色、３色配色等の商品）に分類し、分類した色数の異なる第２商品毎に、第２の商品の画像を順次又は２以上同時に提示するようにしてもよい。
【０１３８】
コーディネート画像提示部３６から出力されたコーディネート画像の画像データは、送信部３１を介して、コーディネートを希望する商品（第１の商品）を指定したユーザのユーザ端末１１に送信される。これにより、ユーザ端末１１の表示部２７にコーディネート画像を表示させることができる。
【０１３９】
ユーザは、ユーザ端末１１の表示部２７に表示されたコーディネート画像を見ながら、コーディネート商品に対する購入等のアクション情報を入力部２０により入力し、入力したアクション情報を送信部２１を介してコーディネート提案装置１０に送信する。
【０１４０】
［コーディネート提案方法］
次に、本発明に係るコーディネート提案方法の実施形態について、図１６及び図１７を参照しながら説明する。
【０１４１】
図１６において、コーディネート提案装置１０（商品検索部４８、画像整列部５２等）は、ユーザ端末１１からの商品の検索要求に応じて商品の画像を、ユーザ端末１１の表示部２７に表示させる（ステップＳ５０）。
【０１４２】
ユーザは、ユーザ端末１１の入力部２０を操作し、表示部２７に表示された商品画像に対して購入等のアクション情報を入力することにより、１又は複数の商品（第１の商品）を選択することができる。
【０１４３】
続いて、コーディネート提案装置１０では、ユーザ端末１１による第１の商品の選択が終了したか否かを判別する（ステップＳ５２）。例えば、コーディネート提案装置１０は、ユーザ端末１１の入力部２０において、第１の商品（複数の商品が選択されている場合には、タッチ等により選択した１つの商品）を、仮想の試着室に持ち込む操作等が行われると、第１の商品の選択が終了したと判別することができる。
【０１４４】
具体的には、図１７（ａ）に示すようにユーザ端末１１の表示部２７に表示された第１の商品の画像にタッチし、右スワイプすることにより、図１７（ｂ）に示すように仮想の試着室に第１の商品を持ち込むことができ、これにより図１７（ｂ）に示す第１の商品の画像のみが表示されている画面から仮想の試着室の画面（試着画面）に遷移させることができる。また、マイクローゼットに保持した商品から試着したい第１の商品の画像を選択し、ポップアップで画像詳細を表示させ、カテゴリ選択後に試着ボタン（図示しないアイコンボタン）を押下することで試着画面に遷移させることができる。尚、試着画面上で左スワイプすることにより、遷移前画面に戻すことができる。
【０１４５】
次に、感性語取得部３８及び第１のデザイン特徴量取得部４０は、それぞれ第１の商品の画像の感性語と第１のデザイン特徴量を、第１の商品の商品ＩＤに基づいて商品ＤＢ４６から取得する（ステップＳ５４）。
【０１４６】
続いて、第２のデザイン特徴量取得部４２は、取得された第１の商品の画像の感性語及び第１のデザイン特徴量に基づいて、コーディネート用ＤＢ４４から対応する第２のデザイン特徴量を取得する（ステップＳ５６）。即ち、取得した感性語と同じ感性語に関連付けられて登録された第２のデザイン特徴量であって、取得した第１のデザイン特徴量を含み、かつ第１のデザイン特徴量よりも多くのデザイン特徴量を有する第２のデザイン特徴量を、コーディネート用ＤＢ４４から取得する。
【０１４７】
次に、商品検索部５０は、取得された第１のデザイン特徴量と第２のデザイン特徴量とに基づいて、商品ＤＢ４６から第１の商品にコーディネートされる第２の商品を検索する（ステップＳ５８）。即ち、第１のデザイン特徴量と第２のデザイン特徴量との差分を示す第３のデザイン特徴量を求め、求めた第３のデザイン特徴量に基づいて商品ＤＢ４６から第３のデザイン特徴量と同じデザイン特徴量を有する第２の商品を検索する。
【０１４８】
コーディネート画像提示部３６は、商品受付部３４により受け付けた第１の商品の情報と、商品検索部５０により検索された第２の商品の情報とに基づいて、第１の商品の画像と第２の商品の画像とを、ユーザ端末１１で同時に観察可能にユーザ端末１１に出力する（ステップＳ６０）。本例では、図１７（ｂ）に示すように第１の画像（トップスの画像）と第２の画像（ボトムスの画像）との画像サイズ、位置及び向きを調整したコーディネート画像を出力しているが、単に第１の画像（トップスの画像）と第２の画像（パンツの画像）とを個別に出力し、ユーザ端末１１側のアプリケーションで第１の画像（トップスの画像）と第２の画像（パンツの画像）との画像サイズ、位置及び向きを自動的に調整して表示したり、ユーザ端末１１を操作して画像サイズ、位置及び向きを手動で調整して表示するようにしてもよい。
【０１４９】
コーディネート画像提示部３６から出力されたコーディネート画像の画像データは、送信部３１を介して、自動コーディネートを希望する商品（第１の商品）を指定したユーザのユーザ端末１１に送信される。これにより、ユーザ端末１１の表示部２７にコーディネート画像を表示（提示）させることができる（ステップＳ６２）。
【０１５０】
コーディネート提案装置１０は、コーディネート画像の提示中に、コーディネート画像の提示の終了操作が行われたか否かを判別し（ステップＳ６４）、終了操作が行われた場合には、本処理を終了する。例えば、図１７（ｂ）に示す試着画面で、左スワイプの操作が行われ、図１７（ａ）に示す画面に遷移した場合や、コーディネートされた第２の商品の購入等のアクションがあった場合に本処理を終了する。
【０１５１】
［その他］
本実施形態では、第１の商品の画像のデザイン特徴量のうちの第１の色特徴量である第１の色情報（単色又は複数色の各色の色情報）と、予めコーディネートされた第１の商品及び第２の商品のそれぞれの画像を解析して得られた第２のデザイン特徴量のうちの第２の色特徴量である第２の色情報（複数色（配色）の各色の色情報）とを使用し、第１の色情報と第２の色情報との差分を示す色情報（第３の色情報）に基づいて、第３の色情報を有する商品（第２の商品）を検索するようにしたが、これに限らず、色特徴量以外のデザイン特徴量も使用して、第２の商品を検索するようにしてもよい。
【０１５２】
例えば、第１の商品の画像のデザイン特徴量である第１の色特徴量、第１の柄特徴量、第１の形特徴量、及び第１の質感特徴量のうちの少なくとも第１の色特徴量を含む２以上の特徴量と、予めコーディネートされた第１の商品及び第２の商品のそれぞれの画像を解析して得られた第２のデザイン特徴量である第２の色特徴量、第２の柄特徴量、第２の形特徴量、及び第２の質感特徴量のうちの少なくとも第２の色特徴量を含む２以上の特徴量とを使用し、これらの２以上の特徴量の差分を示す特徴量に基づいて、差分の特徴量を有する第２の商品を検索する。この場合、コーディネート用ＤＢには、第２の色特徴量である第２の色情報の他に、第１の商品及び第２の商品のそれぞれの画像を解析して得られた第２のデザイン特徴量である第２の色特徴量、第２の柄特徴量、第２の形特徴量、及び第２の質感特徴量のうちの少なくとも第２の色特徴量を含む２以上の特徴量を登録する必要がある。
【０１５３】
また、本実施形態では、予めコーディネートされた第１の商品及び第２の商品（コーディネート商品）は、専門のコーディネータがコーディネートしたものであるが、これに限らず、一般ユーザが商品ＤＢ内の商品を使用してコーディネート投稿したもの、あるいはコーディネートして購入等がされたものを使用してもよい。
【０１５４】
更に、本発明は上述した実施の形態に限定されず、本発明の精神を逸脱しない範囲で種々の変形が可能であることは言うまでもない。
【符号の説明】
【０１５５】
１…クライアント・サーバシステム、１０…コーディネート提案装置、１１…ユーザ端末、１２…ネットワーク、２０…入力部、２３、３３…通信部、２５…表示制御部、２７…表示部、２８…システムコントローラ、３４…商品受付部、３６…コーディネート画像提示部、３８…感性語取得部、４０…第１のデザイン特徴量取得部、４２…第２のデザイン特徴量取得部、４４…コーディネート用データベース、４６…商品データベース、４８、５０…商品検索部、５２…画像整列部、６０…基本カラーパレット、６２…画像解析部
【図１】
2016071609.tif 000003
【図２】
2016071609.tif 000004
【図３】
2016071609.tif 000005
【図４】
2016071609.tif 000006
【図６】
2016071609.tif 000007
【図１０】
2016071609.tif 000008
【図１１】
2016071609.tif 000009
【図１２】
2016071609.tif 000010
【図１３】
2016071609.tif 000011
【図１４】
2016071609.tif 000012
【図１５】
2016071609.tif 000013
【図１６】
2016071609.tif 000014
【図１７】
2016071609.tif 000015
【図５】
2016071609.tif 000016
【図７】
2016071609.tif 000017
【図８】
2016071609.tif 000018
【図９】
2016071609.tif 000019